【手続補正書】
【提出日】平成23年8月26日(2011.8.26)
【手続補正１】
【補正対象書類名】特許請求の範囲
【補正対象項目名】全文
【補正方法】変更
【補正の内容】
【特許請求の範囲】
【請求項１】
エンドユーザに表示するための広告（２２０，２５０）のユーザによる作成を可能にするコンピューター実施方法であって、
（ａ）複数のソフトウェアベースのテンプレートを生成するステップと、
（ｂ）前記ソフトウェアベースのテンプレートのうちの１つまたは複数をユーザーが選択できるようにするグラフィカルユーザーインターフェイスをディスプレイ（１９１）上に提示する(presenting)ステップと、
（ｃ）前記広告（２２０，２５０）に表示するための１つまたは複数のアセット（assets）（２０４，２２４）を追加し、前記広告（２２０，２５０）の外観(appearance)、フロー(flow)、対話性(interactivity)、移行(transitions)、および最低時間長さ（minimum length of time）、のうちの少なくとも１つを決定するために、ユーザーが前記ステップ（ｂ）で選択された前記１つまたは複数のソフトウェアベースのテンプレートと対話(interact with)できるようにするグラフィカルユーザーインターフェイスをディスプレイ上に提示するステップと、
（ｄ）エンドユーザーとの対話なしに、閲覧者が選択したコンテンツに、前記広告（２２０，２５０）の終了時に、シームレスな(seamless)フロースルー(flow-through)を提供するステップと、
を含むコンピューター実施方法。
【請求項２】
ユーザーが前記１つまたは複数のソフトウェアベースのテンプレートと対話できるようにするグラフィカルユーザーインターフェイスをディスプレイ上に提示する前記ステップ（ｃ）が、前記広告（２２０，２５０）の外観、フロー、対話性、移行、および最低時間長さのうちの少なくとも１つを選択するために、デフォルトの設定を前記ユーザーに提供するステップを含む請求項１に記載のコンピューター実施方法。
【請求項３】
ユーザーが前記１つまたは複数のソフトウェアベースのテンプレートと対話できるようにするグラフィカルユーザーインターフェイスをディスプレイ上に提示する前記ステップ（ｃ）が、前記広告（２２０，２５０）の外観、フロー、対話性、移行、および最低時間長さのうちの少なくとも１つを選択するために、前記デフォルトの設定をユーザーが変更できるようにするステップを含む請求項２に記載のコンピューター実施方法。
【請求項４】
複数のソフトウェアベースのテンプレートを生成する前記ステップ（ａ）が、マークアップ言語を使用して複数のテンプレートを生成するステップを含む請求項１に記載のコンピューター実施方法。
【請求項５】
ユーザーが前記１つまたは複数のソフトウェアベースのテンプレートと対話できるようにするグラフィカルユーザーインターフェイスをディスプレイ上に提示する前記ステップ（ｃ）が、前記広告（２２０，２５０）の外観、フロー、対話性、移行、および最低時間長さのそれぞれを決定するために、ユーザーが前記１つまたは複数のソフトウェアベースのテンプレートと対話できるようにするステップを含む請求項１に記載のコンピューター実施方法。
【請求項６】
広告（２２０，２５０）の外観を選択するために、ユーザーが前記１つまたは複数のソフトウェアベースのテンプレートと対話できるようにするグラフィカルユーザーインターフェイスをディスプレイ上に提示する前記ステップ（ｃ）が、テキストラベル、色、フォント、音、画像、映像、レイアウト選択、アニメーション選択、タイムアウト、およびカウントを含むパラメータをユーザーが指定できるようにするステップを含む請求項１に記載のコンピューター実施方法。
【請求項７】
エンドユーザに、広告の対象に関する追加的情報を知らせるオプションを提供するステップ（ｅ）、及び、当該エンドユーザが、当該ステップ（ｅ）の当該追加的情報を知るための当該オプションを選択する場合に、当該追加的情報を提供する広告を構成する（configuring）ステップ（ｆ）をさらに含む請求項１に記載のコンピューター実施方法。
【請求項８】
広告（２２０，２５０）の作成を可能にするコンピューター実施方法であって、
（ａ）複数のソフトウェアベースのテンプレートを生成するステップであって、前記複数のソフトウェアベースのテンプレートが、１つまたは複数のアセット（２０４，２２４）が前記広告（２２０，２５０）にどのように提示されるかを指定し、前記１つまたは複数のアセット（２０４，２２４）との対話を指定し、広告（２２０，２５０）が稼働する(runs for)最低時間量（２０２）を指定する、ステップと、
（ｂ）ユーザーが前記ソフトウェアベースのテンプレートのうちの１つまたは複数を選択できるようにし、ステップ（ａ）ごとに前記１つまたは複数のテンプレートによって使用されるように、前記ユーザーが前記１つまたは複数のアセット（２０４，２２４）を追加できるようにし、前記広告（２２０，２５０）をカスタマイズするために、ユーザーが前記１つまたは複数のテンプレートを構成できるようにするグラフィカルユーザーインターフェイスをディスプレイ（１９１）上に提示するステップと、
（ｃ）前記広告の終了までのカウントダウンのグラフィカル指示を含むように広告を構成する（configuring）ステップと、
（ｄ）前記広告を見ているエンドユーザが、前記広告が掲載されるために必要とする、ステップ（ａ）で設定された最低時間量の後であって、且つ、前記広告の完了前に、前記広告を終了させることを許容するように、前記広告を構成するステップと、
を含むコンピューター実施方法。
【請求項９】
前記ソフトウェアベースのテンプレートのうちの１つまたは複数をユーザーが選択できるようにするグラフィカルユーザーインターフェイスをディスプレイ（１９１）上に提示する前記ステップ（ｂ）が、一緒に使用されるテンプレートの文字列をユーザーが選択できるようにするステップを含む請求項８に記載のコンピューター実施方法。
【請求項１０】
前記ソフトウェアベースのテンプレートのうちの１つまたは複数をユーザーが選択できるようにするグラフィカルユーザーインターフェイスをディスプレイ（１９１）上に提示する前記ステップ（ｂ）が、第２のテンプレート内で使用される第１のテンプレートをユーザーが選択できるようにするステップを含む請求項８に記載のコンピューター実施方法。
【請求項１１】
前記１つまたは複数のアセット（２０４，２２４）をユーザーが追加できるようにするグラフィカルユーザーインターフェイスをディスプレイ（１９１）上に提示する前記ステップ（ｂ）が、前記広告（２２０，２５０）との閲覧者の対話なしに、閲覧者に表示される映像（２００）を含む１つまたは複数のアセット（２０４，２２４）の第１の組をユーザーが追加できるようにするステップを含む請求項８に記載のコンピューター実施方法。
【請求項１２】
前記１つまたは複数のアセット（２０４，２２４）をユーザーが追加できるようにするグラフィカルユーザーインターフェイスをディスプレイ（１９１）に提示する前記ステップ（ｂ）が、追加情報を受信する旨の前記閲覧者の要望を示すために、閲覧者がユーザー選択装置で前記広告（２２０，２５０）と対話するときに、前記閲覧者に表示される１つまたは複数のアセット（２０４，２２４）の第２の組をユーザーが追加できるようにするステップを含む請求項１１に記載のコンピューター実施方法。
【請求項１３】
前記１つまたは複数のアセット（２０４，２２４）との対話を指定する複数のソフトウェアベースのテンプレートを生成する前記ステップ（ａ）が、前記第１の組のアセット（２０４，２２４）と前記第２の組のアセット（２０４，２２４）との間で前記ユーザーが切り替えることができるようにするステップを含む請求項１２に記載のコンピューター実施方法。
【請求項１４】
前記ステップ（ｂ）が、前記広告（２２０，２５０）に表示されたカウントダウンタイマーを含むように、ユーザーが前記１つまたは複数のテンプレートを構成できるようにするグラフィカルユーザーインターフェイスを提示するステップを含む請求項８に記載のコンピューター実施方法。
【請求項１５】
前記ステップ（ｂ）が、閲覧者が前記広告（２２０，２５０）と対話して、予め設定された期間の後で、前記広告（２２０，２５０）を終了させることができるように、ユーザーが前記１つまたは複数のテンプレートを構成できるようにするグラフィカルユーザーインターフェイスを提示するステップを含む請求項８に記載のコンピューター実施方法。
【請求項１６】
前記ステップ（ｂ）が、前記広告（２２０，２５０）の外観、フロー、対話性、移行、および最低時間長さのうちの少なくとも１つを決定するように、ユーザーが前記１つまたは複数のテンプレートを構成できるようにするグラフィカルユーザーインターフェイスを提示するステップを含む請求項８に記載のコンピューター実施方法。
【請求項１７】
広告（２２０，２５０）の作成を可能にするための方法を実行するために、プロセッサー（１２０）をプログラミングするためのコンピューター実行可能命令を有するコンピューター可読記憶媒体（１４４，１５２，１５６）であって、前記方法が
（ａ）複数のソフトウェアベースのテンプレートを生成するステップであって、前記複数のソフトウェアベースのテンプレートが、１つまたは複数のアセット（２０４，２２４）が前記広告（２２０，２５０）にどのように提示されるかを指定し、前記１つまたは複数のアセット（２０４，２２４）との対話を指定し、前記広告（２２０，２５０）の外観、フロー、対話性、移行、および最低時間長さのうちの１つまたは複数を指定する、ステップと、
（ｂ）ユーザーが前記ソフトウェアベースのテンプレートのうちの１つまたは複数を選択できるようにし、ステップ（ａ）ごとに前記１つまたは複数のテンプレートによって使用されるように、前記ユーザーが前記１つまたは複数のアセット（２０４，２２４）を追加できるようにし、前記広告（２２０，２５０）の外観、フロー、対話性、および移行をさらに指定するために、ユーザーが前記１つまたは複数のテンプレートを構成できるようにするグラフィカルユーザーインターフェイスをディスプレイ（１９１）上に提示するステップと、
（ｃ）エンドユーザに、広告の対象（subject）に関する追加的情報を知らせるオプションを提供するステップと、
（ｄ）前記エンドユーザが、前記ステップ（ｃ）の前記追加的情報を知るための前記オプションを選択する場合に、前記追加的情報を提供する広告を構成するステップと、
（ｅ）前記広告の終了時に、前記広告を見ているエンドユーザによって選択された、下にある（underlying）コンテンツにシームレスに流れる（flow）ように、前記広告を構成するステップと、
を含むコンピューター可読媒体。
【請求項１８】
ユーザーが前記広告（２２０，２５０）の前記外観をさらに指定できるようにする前記ステップ（ｂ）が、テキストラベル、色、フォント、音、画像、映像、レイアウト選択、アニメーション選択、タイムアウト、およびカウントを含むパラメータを前記ユーザーがさらに指定できるようにするステップを含む請求項１７に記載のコンピューター可読記憶媒体（１４４，１５２，１５６）。
【請求項１９】
閲覧者による前記広告（２２０，２５０）との対話なしに、前記広告（２２０，２５０）の終了時に、前記広告（２２０，２５０）から、前記閲覧者によって要求されるコンテンツに移行するステップ（ｆ）をさらに含む請求項１７に記載のコンピューター可読記憶媒体（１４４，１５２，１５６）。